【事件の表示】
　特願２０００−　７８７８５「遊技機」拒絶査定不服審判事件〔平成１２年１０月１７日出願公開、特開２０００−２８８１８７〕について、次のとおり審決する。
【結　論】
　本件審判の請求は、成り立たない。
【理　由】
　
第１，手続きの経緯
　本願は、平成５年３月２４日に出願した特願平５−９０８００号の一部を平成１２年３月２１日に新たな出願としたものであって、平成１５年９月９日付けで拒絶査定がなされ、これに対し、同年１０月１６日に拒絶査定に対する審判請求がなされるとともに同年１１月１４日付けで手続補正がなされたものである。
　
第２，本願発明
　本願の請求項１及び２に係る発明は、上記平成１５年１１月１４日付けで補正された明細書の記載からみて、その特許請求の範囲の請求項１及び２に記載されたとおりのものと認められるところ、その請求項１に記載された発明は次のとおりのものである。
　【請求項１】制御回路基板の一面側にノイズ遮蔽板が配置されており、そのノイズ遮蔽板は弾性曲げ変形可能な板であり、ノイズ遮蔽板の周縁の一部が制御回路基板の一面側に直接重ね合わされて結合されることによってノイズ遮蔽板と制御回路基板との間に制御回路基板の凹凸を収容する空間が確保されるようにノイズ遮蔽板が湾曲した状態に維持されている遊技機。（以下「本願発明」という）
　
第３，刊行物に記載された発明
　刊行物１：特開平５−７６５２号公報（平成５年１月１９日公開）
　刊行物２：実願平２−１０７７１５号（実開平４−６３６９７号）の
　　　　　　マイクロフィルム
　刊行物３：実願昭６３−３６５７５号（実開平１−１３９４９７号）の
　　　　　　マイクロフィルム
　
　原査定の拒絶理由通知に引用された、特開平５−７６５２号公報（以下「刊行物１」という）には、次の事項が記載されている。
　「【０００９】
【発明の実施例】次に、本発明の実施例を図面に基づいて詳細に説明する。なお、本発明においては、遊技機の一例としてパチンコ遊技機を示すが、その他コイン遊技機，スロツトマシン等のように遊技機としてはどんなものであってもよい。」
　「【００１６】液晶表示装置９０には、その前方側に液晶表示板（ＬＣＤ）３４が設けられ、液晶表示装置９０とユニットベース２６と表飾りユニット２４とが一体的に組付けられた状態で表飾りユニット２４の開口からこの液晶表示板（ＬＣＤ）３４が視認できるようになっている。液晶表示装置９０の裏面側には、ＬＣＤドライバ基板４１（図３参照）をカバーしている導電性板の一例のＬＣＤドライバカバー板５８が設けられており、・・・前記ＬＣＤドライバカバー板５８は金属板で構成されている。・・・
【００１７】図３は、液晶表示装置９０の構造を説明するための分解斜視図である。・・・この液晶表示板３４は、３つの液晶表示部からなる左図柄表示部３５，中図柄表示部３６，右図柄表示部３７が形成されている。この液晶表示板３４の液晶表示部を駆動するためのＬＣＤドライバ基板４１がフィルムケーブル４０により液晶表示板３４に電気的に接続されている。このＬＣＤドライバ基板４１には、ＬＣＤを駆動するための第１ドライバ４２ａと第２ドライバ４２ｂとが設けられている。・・・」
　「【００１９】組付状態にあるＣＦＬカバー５２の後面側から導電性板の一例のＬＣＤドライバ取付板５４がＬＣＤフレーム４４に取付けられる。このＬＣＤトライバ取付板５４は金属板で構成されており、その四隅には、スペーサ５７を位置決めするための凹部５５が形成されている。この凹部５５にスペーサ５７を位置決めした状態でＬＣＤドライバ基板４１の四隅をこのスペーサ５７に当接して、ビスによりＬＣＤドライバ基板４１，ＬＣＤドライバ取付板５４とともにＬＣＤフレーム４４に取付ける。この取付状態では、スペーサ５７の働きによりＬＣＤドライバ基板４１がＬＣＤドライバ取付板５４から所定寸法離れた状態で取付けられることになる。なおこのスペーサ５７は導電性部材で構成されている。」
　「【００２２】・・・ＬＣＤドライバ基板４１の正面側と裏面側とがＬＣＤドライバ取付板５４とＬＣＤドライバカバー板５８により覆われているために、遊技場において静電気に起因して発生したノイズの悪影響がＬＣＤドライバ基板４１に及ぶことが極力防止できる利点がある。・・・」
　「【００２６】このＬＣＤフレーム４４の後方側には、ＬＣＤドライバ取付板５４，５８が箱状の形となって取付けられており、ＬＣＤドライバ板４１をスペーサ５７を介して取付けることによりＬＣＤドライバカバー板５４，５８内にＬＣＤドライバ基板４１が収納された形で設けられる。・・・」
　
　したがって、刊行物１には、　
「ＬＣＤを駆動するための第１ドライバ４２ａと第２ドライバ４２ｂとが設けられているＬＣＤドライバ基板４１の正面側と裏面側とが箱状のＬＣＤドライバ取付板５４とＬＣＤドライバカバー板５８により覆われているために、静電気に起因して発生したノイズの悪影響がＬＣＤドライバ基板４１に及ぶことが極力防止できる遊技機」の発明（以下「引用発明１」という）が記載されていると認められる。
　
　本願出願前に頒布された、実願平２−１０７７１５号（実開平４−６３６９７号）のマイクロフィルム（以下、「刊行物２」という）には、次の事項が記載されている。
　明細書第２頁第２行乃至第５行には、「［産業上の利用分野］
　本考案は、電気絶縁性を有するシートで基板を覆い、そのシートを複数の止めネジで固着する基板被覆構造の改良に関するものである。」と、
　明細書第４頁第１８行乃至第６頁第２行には、「樹脂材料の基板２は、表面２ａに各種電気部品３を装着すると共に、裏面２ｂにおいて該電気部品３等とリード線４を半田部５で接続している。
　６はシートであり、電気絶縁性及び可撓性を有する薄膜状の樹脂材料等で構成し、基板の所望部位を被覆するように形成する。基板２の裏面２ｂに被せられたシート６は、該裏面２ｂに押圧されることにより、第２図で示すようにリード線４や半田部５などの突出部分に合せて弾性変形する。
・・・一方、シート６は止めネジ７及び８を挿通する２箇所の部位に、貫通穴６ａを設けている。また、シート６は他の止めネジ９〜１１を挿通する３箇所の部位、すなわち無穴部位６ｂに貫通穴を設けない。」と、それぞれ記載されている。
　また、基板回りの要部断面図である第２図及びシートの平面図である第３図に示された事項を併せると、図面には「基板２の一面側にシート６が配置され、シート６の周縁の一部が基板２の一面側に直接重ね合わされて止めネジで固着され、シート６と基板２との間にリード線４や半田部５を収容する空間が確保されるようにシート６が湾曲した状態に維持されている」事項が示されている。
　
　したがって、これらの記載と、図面に示された事項を併せると、刊行物２には、
　「基板２の一面側にシート６が配置されており、そのシート６は弾性変形する薄膜状材であり、シート６の周縁の一部が基板２の一面側に直接重ね合わされて止めネジ７〜１１で固着され、シート６と基板２との間に基板２裏面２ｂのリード線４や半田部５などを収容する空間が確保されるようにシート６が湾曲した状態に維持されている基板被覆構造」の発明（以下「引用発明２」という）が、記載されていると認められる。
　　
　本願出願前に頒布された、実願昭６３−３６５７５号（実開平１−１３９４９７号）のマイクロフィルム（以下「刊行物３」という）には、次の事項が記載されている。
　明細書第２頁第１４行乃至第３頁第１行には、「本考案では、電子部品を実装した基板の実装領域の外側に２以上の穴をあけ、その穴には接地電位に接続される導電部を形成し、基板の実装領域を被う大きさで一方の面が絶縁面、他方の面が導電面となっており弾性をもつ静電防止シートを、その絶縁面が実装面側になるように前記基板に対向させて端部を前記穴に挿入し、この静電防止シートの導電面を前記導電部に接触させた。」と、
　明細書第５頁第１１行乃至第７頁第６行には、「第７図及び第８図は作業能率を改善した絶縁装置を示すものである。
　電子部品実装基板５にはビス２５を通す穴が中央に１個だけ設けられ、電子部品が実装される領域を挟んでその外側に２個の穴９，９があけられている。
　絶縁シート２６は電子部品実装領域を被う大きさでほぼ正方形に形成され、中央にビス止め用の穴があけられ、一対の対向する角には挿入部２７，２７が穴２９，２９より少し狭い幅で形成されている。
・・・
　この絶縁装置では、基板５の穴９，９にそれぞれ絶縁シート２６の挿入部２７，２７が挿入され、ビス２５によって基板５と絶縁シート２６が外観筐体２１に固定される。
・・・
　第９図は第７図及び第８図の絶縁装置において、さらに静電対策や不要輻射対策をもたせたものである。
　絶縁シート２６の表面に導電材３１を貼り付けたものを使用する。
・・・
　絶縁シート２６がビス２５でボス２２に止められることにより、・・・静電防止や不要輻射防止の役割も果たすようになる。」と、それぞれ記載されている。
　また、分解斜視図である第７図、その断面図である第８図及び部分断面図である第９図に示された事項を併せると、図面には「絶縁シート２６の中央が電子部品実装基板５の一面側に直接重ね合わされ、絶縁シート２６と電子部品実装基板５との間に電子部品１２を収容する空間が確保されるように絶縁シート２６が湾曲した状態に維持されている」事項が示されている。
　
　したがって、これらの記載と、図面に示された事項を併せると、刊行物３には、　
「電子部品を実装した基板５と電子部品実装領域を被う絶縁シート２６とが配置されており、その絶縁シート２６は弾性をもつものであり、絶縁シート２６の中央が基板５の一面側に直接重ね合わされてビス２５で固定され絶縁シート２６の一対の対向する角に形成されている挿入部２７，２７が基板５の穴９，９に挿入され、絶縁シート２６と基板５との間に基板５に実装された電子部品１２を収容する空間が確保されるように絶縁シート２６が湾曲した状態に維持されている、静電対策や不要輻射対策をもたせた絶縁装置」の発明（以下「引用発明３」という）が記載されていると認められる。
　　
第４，本願発明と引用発明１との比較・検討　
　引用発明１の「ＬＣＤドライバ基板４１」は本願発明の「制御回路基板」に相当し、以下同様に「遊技機」は「遊技機」に、それぞれ相当する。また、引用発明１の「箱状のＬＣＤドライバ取付板５４とＬＣＤドライバカバー板５８」は本願発明の「ノイズ遮蔽板」と比較して、「ノイズ遮蔽装置」において一致しているから、両者の一致点及び相違点は次のとおりである。
　
　一致点
　制御回路基板とノイズ遮蔽装置とが配置されている遊技機
　
　相違点
　ノイズ遮蔽装置が本願発明では、
　（Ａ）制御回路基板の一面側に配置され、
　（Ｂ）弾性曲げ変形可能な板であり、当該板の周縁の一部が制御回路基板に直接重ね合わされて結合されることによって当該板と制御回路基板との間に制御回路基板の凹凸を収容する空間が確保されるように当該板が湾曲した状態に維持されている、
　のに対し、引用発明ではそのような構成を備えていない点
　
　そこで、上記相違点について検討する。
　相違点（Ａ）について
　ノイズ遮蔽板を制御回路基板に対してどのように配置するかは、ノイズの大きさ、ノイズ発生源との位置関係、製造コスト等から、当業者が当然に考慮すべき事項であり、ノイズ遮蔽板を制御回路基板の一面側に配置することは当業者が適宜なし得る設計上の事項である。　
　相違点（Ｂ）について
　基板を覆う板状部材を、弾性曲げ変形可能な部材で構成し、基板との間に収容空間が確保されるよう湾曲した状態に維持する技術は、例えば、引用発明２における「シート６」及び引用発明３における「絶縁シート２６」に示されるように周知・慣用の技術であるから、制御回路基板を覆うノイズ遮蔽装置として、上記周知・慣用の技術を代替採用することは当業者が容易になし得ることである。そして、当該周知・慣用の技術において弾性曲げ変形可能な板状部材を湾曲した状態に維持するためには、その周縁部を固定する必要性があることは当業者にとっては自明な事項であり、しかも、その固定手段として基板と被覆材とを直接重ね合わせて結合する技術は、例えば引用発明２における「止めネジ７〜１１」及び引用発明３における「ビス２５」に示されるように周知・慣用の技術であるから、当該代替採用するに際して、湾曲した状態を維持する手段として、前記自明な事項及び周知・慣用の技術に基づいて結合することは単なる設計的事項である。
　
　そして、効果においても格別のものは認められない。　
　
　したがって、本願発明は、引用発明１及び周知・慣用の技術に基づいて当業者が容易に発明をすることができたものである。
　
第５，むすび
　以上のとおり、本願発明は、引用発明１及び周知・慣用の技術に基づいて当業者が容易に発明をすることができたものであるから、本願の他の請求項に係る発明について検討するまでもなく、本願は、特許法第２９条第２項の規定により、特許を受けることができない。
　よって、結論のとおり審決する。